(57)【要約】【課題】位相制御型の入力電圧変換装置で出力電流が調整可能な電源装置であり、２次側に出力電流を検出するエラーアンプ部を持ち１次側制御部で発振周波数又はデューテイ等を制御する絶縁トランス型定電流電源装置において、入力電圧変換装置を前段においた状態で、商用入力電圧が変動した時に出力電流が変動する問題がある。【解決手段】入力電圧変換装置を使用した時のみ動作する入力電圧補正回路を設けて、入力電圧変換装置を使用した場合に、入力電圧が変動することによる出力電流変動を２次側基準電圧補正することにより出力電流が変動しないようにする。又、絶縁トランスの２次側電圧で入力電圧を擬似的にモニタし入力電圧補正を行なう。【選択図】図４
2013034355.tif 000002
【特許請求の範囲】
【請求項１】
位相制御型の入力電圧変換装置を使用した時、導通幅若しくは導通デューティに応じて出力電流を調整する機能を持ち、導通幅若しくは導通デューティが長い時に比べ短い時は、導通幅若しくは導通デューティに対する出力電流変化率を小さくすることを特徴とする定電流電源装置。
【発明の詳細な説明】
【技術分野】
【０００１】  本発明は、出力電流を調整することを目的とした位相制御型の入力電圧変換装置を使用した場合、商用入力電圧変動に際し出力電流変動を抑えることができる定電流電源装置に関するものである。
【背景技術】
【０００２】  出力電流を調整することを目的とした位相制御型の入力電圧変換装置を使用し、その導通幅若しくは導通デューティを検出して出力電流を決定する定電流電源において、商用入力電圧が変動した場合その変動に応じた出力電流変動がある。【０００３】  又、導通幅が短いほど若しくは導通デューティが小さいほど影響が大きい。これは導通幅を検出している為であり、非導通幅若しくは非導通デューティを検出した場合は逆の導通幅が長いほど導通デューティが大きいほど影響が大きくなる。【０００４】  理由は、商用入力電圧変動が発生した場合位相制御型の入力電圧変換装置の特性上導通幅又は導通デューティが変動する（図１のＡ点）並びに閾値導通検出点が変動する（図１のＢ点）為、導通検出幅が変動することにより２次側基準電圧が変動（出力電流変動）するからである。一般的に、２次側基準電圧は導通幅又は導通デューティを平均化してＤＣ変換しており導通幅又は導通デューティに比例している。（図３のＡ直線）【０００５】  位相制御型の入力電圧変換装置の導通幅は、一般的にはトライアック等のゲートをＣＲの時定数で設定しているので商用入力電圧変動は導通幅の変動となる。又、マイコン制御の位相制御型の入力電圧変換装置においても基準となる位相位置検出は商用入力電圧をモニタすることにより行なっており、商用入力電圧が変動した場合基準となる位相位置が変動して導通幅又は導通デューティが変動する。【０００６】  導通幅が長い場合の出力電流変化率が５．３％であるのに対し、導通幅が短い場合は９２．２％と影響が大きい。これは、導通幅をＣＲ時定数にて決定している汎用的な場合であり、マイコン制御にて導通幅を決定しているものの場合は１．６％から８．８％と全体的に変化率低下しているものの導通幅が短い方が影響は大きい。（図２）【０００７】  一般的には導通幅検出をすれば商用入力電圧変動に対して影響は少ないと言われている。しかし、それは実効値、平均値、又はピーク値検出をした場合に比べて影響が少ないだけであり、導通幅検出をしても影響はある。
【発明の概要】
【発明が解決しようとする課題】
【０００８】  解決しようとする問題点は、出力電流を調整することを目的とした位相制御型の入力電圧変換装置を使用し、導通幅に応じて出力電流を調整する機能を持つ電源装置において、導通幅が短い状態で商用入力電圧が変動した時に導通幅又は導通デューティの変化率が大きく出力電流が大きく変動する点である。
【課題を解決するための手段】
【０００９】  当該入力電圧変換装置を使用した場合の商用入力電圧の変動に応じた導通幅又は導通デューティの変化率は前記したように、導通幅が短い方が大きくなる。導通幅が短いときは、出力電流の導通幅依存性を弱めて導通幅又は導通デューティの変化率が大きくても出力電流変化率を小さくする。これにより課題を解決できる。【００１０】  導通幅又は導通デューティに応じた（全領域の比例）状態（図３のＡ直
2013034355.tif 000003
そこで、導通幅依存性を弱める状態（図３の直線Ｂ）にすると、同じ商用入力電圧の変動による導通幅変化が発生しても出力電流変化は小さくな
2013034355.tif 000004
通幅が長い時の導通幅依存性を強める状態（図３の直線Ｂ）にする必要が
2013034355.tif 000005
ものの、入力電圧変動による導通幅変化が少なく更に出力電流値が高いので、変化率は、比較的小さくなる。【００１１】  マイコン制御にて導通幅を決定している入力電圧変換装置の場合、商用入力電圧の変動による導通幅変化は小さくなるが、導通幅が短くなると変化率が大きくなる傾向は同じであり、前記と同様のことが言える。
【発明の効果】
【００１２】  本発明の電源装置は、商用入力電圧の変動による導通幅変化がある当該入力電圧変換装置を使用した場合に、出力電流が導通幅に比例しない（導通幅が短い時に出力電流の導通幅依存性を弱くする。）ことにより、商用入力電圧の変動に対して導通幅の短い領域での出力電流変化率を低減できる利点がある。
【図面の簡単な説明】
【００１３】
【図１】当該入力電圧変換装置を使用した時の問題点を説明した説明図である。
【図２】当該入力電圧変換装置を使用した時の問題点を説明した説明図である。
【図３】問題点解決方法を説明した説明図である。
【図４】実施回路を説明した回路図である。（実施例１）
【図５】実施回路を説明した回路図である。（実施例２）
【発明を実施するための形態】
【００１４】  具体的な回路構成を以下に説明する。
【実施例１】
【００１５】  図４は、本発明の電気的構成を示す実施例をブロック図にしたものである。【００１６】  商用入力１の後段に位相制御型の入力電圧変換装置２があり、その後段に本発明の対象となる電源装置１３があり、最終段に負荷１４が接続されている。負荷１４はどのようなものでも良いがここではダイオードで記載している。【００１７】  電源装置１３は、整流用のダイオードブリッジ３、平滑用のコンデンサ４、制御部５、スィッチング素子６、絶縁トランス７、フィードバック用フォトカプラ８、２次側整流ダイオード９、２次側平滑コンデンサ１０、出力電流検出抵抗１１、２次側エラーアンプ１２、導通幅検出部１５、導通幅伝達用フォトカプラ１６、２次側基準電圧用コンデンサ１７、２次側制御部１８を基本構成している。【００１８】  この構成は、一般的なフィードバック方式を採用したフライバック型電源である。フィードバック方式を採用せずとも出力電流を検出して基準電圧と比較することにより、所定の電流に設定できる機能があれば良い。又、フライバック型電源での回路図になっているが、フォワード型電源でも良い。又、絶縁タイプでの回路図になっているが非絶縁タイプでも良い。【００１９】  ２次側制御部１８が本発明の主要な部分である。実施例２にて詳細を説明する。
【実施例２】
【００２０】  図５は２次側制御部１８の具体的な回路例である。【００２１】  導通幅が短い時の導通幅に対する出力電流の変化率を決定するアンプ１９、バランス抵抗２０、ＯＲ回路を構成しているダイオード２１とダイオード２６、アンプ１９の増幅度を設定する抵抗２２と抵抗２３、導通幅が長い時の導通幅に対する出力電流の変化率を決定するアンプ２４、バランス抵抗２５、アンプ２４の増幅度を設定する抵抗２７と抵抗２８、アンプ２４のオフセットを設定する直流電源２９より構成している。【００２２】  導通幅が短い時には、２時側基準電圧がアンプ２４のオフセット電圧Ｖ１より低い状態に設定されておりアンプ１９のみに出力が発生する。アンプ１９の増幅度を比較的小さくなるように抵抗２２と抵抗２３は設定されており、導通幅に対する出力電流変化率は比較的小さくなる。【００２３】  導通幅が長くなり、２次側基準電圧がアンプ２４のオフセット電圧Ｖ１より高くなるとアンプ２４の出力が発生する。増幅度を比較的大きくなるように抵抗２７と抵抗２８は設定されており、導通幅に対する出力電流変化率は比較的大きくなる。【００２４】  図５の回路構成により、図３のＢ直線の実現が可能となる。マイコン等を使用しても可能となる。
【産業上の利用可能性】
【００２５】  照明用で、位相制御型入力電圧変換装置を使用することがあり、その場合商用入力電圧変動に伴う出力電流の変動が抑えられ、ちらつきの少ないシステムを構築できる。
他にも、出力電流を調整することが有益な装置に同様な効果を期待できる。
【符号の説明】
【００２６】１      商用入力
２      入力電圧変換装置
３      整流用ダイオードブリッジ
４      平滑用コンデンサ
５      制御部
６      スィッチング素子
７      絶縁トランス
８      フィードバック用フォトカプラ
９      ２次側整流ダイオード
１０    ２次側平滑コンデンサ
１１    出力電流検出抵抗
１２    ２次側エラーアンプ
１３    電源装置
１４    負荷
１５    導通幅検出部
１６    導通幅伝達用フォトカプラ
１７    ２次側基準電圧用コンデンサ
１８    ２次側制御部
１９    アンプ
２０    バランス抵抗
２１    ＯＲ回路用ダイオード
２２    アンプ１９の増幅度設定用抵抗
２３    アンプ１９の増幅度設定用抵抗
２４    アンプ
２５    バランス抵抗
２６    ＯＲ回路用ダイオード
２７    アンプ２４の増幅度設定用抵抗
２８    アンプ２４の増幅度設定用抵抗
２９    直流電源
【図１】
2013034355.tif 000006
【図２】
2013034355.tif 000007
【図３】
2013034355.tif 000008
【図４】
2013034355.tif 000009
【図５】
2013034355.tif 000010